【手続補正書】
【提出日】平成29年9月1日(2017.9.1)
【手続補正１】
【補正対象書類名】特許請求の範囲
【補正対象項目名】全文
【補正方法】変更
【補正の内容】
【特許請求の範囲】
【請求項１】
発展型マルチメディアブロードキャスト/マルチキャストサービス(eMBMS)ネットワーク内のグループ呼サービス用のシームレスでリソース効率に優れたローミングのための方法であって、
ホーム公的地域モバイルネットワーク(HPLMN)内に位置するサーバにおいて、前記HPLMNに関連付けられたユーザ機器(UE)が現在のPLMNから訪問先PLMN(VPLMN)への境界を横断することが予想されると判断するステップであって、前記UEが前記現在のPLMN内のグループ呼に参加するように登録している、ステップと、
前記UEが前記VPLMNにローミングしたことを検出するステップと、
前記HPLMN内の前記サーバにおいて、前記UEが前記VPLMN内のeMBMSサービスを事前登録することに応答して、前記VPLMNにおいてマルチキャストベアラを確立するべきかどうかを判定するステップであって、前記サーバが、前記VPLMN内のグループ呼参加者の数に少なくとも部分的に基づいて、前記マルチキャストベアラを確立するべきかどうかを判定する、ステップと、
前記VPLMN内の前記グループ呼をサポートする1つまたは複数のベアラについての情報を前記UEに提供するステップと
を含む、方法。
【請求項２】
前記VPLMN内のグループ呼参加者の前記数がしきい値を超えることに応答して、前記VPLMNにおいて前記マルチキャストベアラを確立するステップ
をさらに含む、請求項1に記載の方法。
【請求項３】
前記VPLMN内の前記グループ呼をサポートする前記1つまたは複数のベアラについての前記情報が、前記VPLMNにおいて確立された前記マルチキャストベアラについての情報を含む、請求項2に記載の方法。
【請求項４】
前記グループ呼が前記VPLMNにおいて終了したと判断するステップと、
前記VPLMN内のアクティブなグループ呼参加者の数が前記しきい値を超えないと判断することに応答して、前記VPLMN内の前記マルチキャストベアラを非アクティブ化するステップと、
前記グループ呼が前記VPLMNにおいて終了したと判断するステップと、
前記VPLMN内のローミングユーザの数が前記しきい値を超えたと判断することに応答して、前記VPLMNにおいて確立された前記マルチキャストベアラを維持するステップと
をさらに含む、請求項2に記載の方法。
【請求項５】
前記マルチキャストベアラを非アクティブ化することに応答して、前記VPLMN内のグループ呼がユニキャストサービスを介してサポートされることを前記UEに通知するステップをさらに含む、請求項4に記載の方法。
【請求項６】
前記VPLMNにおいて前記マルチキャストベアラを確立するステップが、
直接インターフェースを介して前記VPLMN内に位置するブロードキャスト/マルチキャストサービスセンタ(BM-SC)と通信して前記マルチキャストベアラを要求するステップであって、前記VPLMN内の前記BM-SCが、前記VPLMNに関連付けられた発展型ユニバーサル地上波無線アクセスネットワーク(E-UTRAN)と通信して前記マルチキャストベアラを確立する、ステップと、
前記HPLMNにおいて、前記VPLMNに関連付けられた前記E-UTRANから、前記VPLMNにおいて確立された前記マルチキャストベアラについての情報を受信するステップと
を含む、請求項2に記載の方法。
【請求項７】
前記VPLMNにおいて前記マルチキャストベアラを確立するステップが、
前記VPLMN内に位置するアプリケーションサーバと通信して前記マルチキャストベアラを要求するステップであって、前記VPLMN内の前記アプリケーションサーバが、前記VPLMN内に位置するブロードキャスト/マルチキャストサービスセンタ(BM-SC)と通信して前記マルチキャストベアラを確立する、ステップと、
前記HPLMNにおいて、前記VPLMNに関連付けられた発展型ユニバーサル地上波無線アクセスネットワーク(E-UTRAN)を介して、前記VPLMNにおいて確立された前記マルチキャストベアラについての情報を受信するステップと
を含む、請求項2に記載の方法。
【請求項８】
前記UEが前記VPLMN内のアクティブなグループ呼への関心を登録していないこと、および1つまたは複数の非アクティブなマルチキャストベアラが前記VPLMNにおいて利用可能であることを判断するステップであって、前記VPLMN内の前記グループ呼をサポートする前記1つまたは複数のベアラについての前記情報が、前記1つまたは複数の非アクティブなマルチキャストベアラについての情報を含む、ステップ
をさらに含む、請求項1に記載の方法。
【請求項９】
前記UEが前記VPLMN内のアクティブなグループ呼への関心を登録していないこと、および非アクティブなマルチキャストベアラが前記VPLMNにおいて利用可能ではないことを判断するステップと、
しきい値を超えるアクティブ参加者カウントを有する新しいグループ呼が前記VPLMNにおいて要求されたことに応答して、前記VPLMNにおいて前記マルチキャストベアラを確立するステップ、または、
新しいグループ呼がしきい値を超えないアクティブ参加者カウントを有することに応答して、前記VPLMNにおいて要求された前記新しいグループ呼がユニキャストサービスを介してサポートされることを前記UEに通知するステップ
をさらに含む、請求項1に記載の方法。
【請求項１０】
前記VPLMN内のグループ呼参加者の前記数がしきい値を超えないことに応答して、前記VPLMNにおいてユニキャストベアラを確立するステップ、または、
前記VPLMNがマルチキャストサービスをサポートしないと判断することに応答して、前記VPLMNにおいてユニキャストベアラを確立するステップ
をさらに含む、請求項1に記載の方法。
【請求項１１】
前記UEが前記VPLMNにローミングしたことを検出するステップが、前記UEが前記現在のPLMN内に登録されていないこと、または前記UEが前記VPLMNに接続したことを判定するステップを含む、請求項1に記載の方法。
【請求項１２】
前記UEが前記現在のPLMN内に登録されていると判断するステップであって、前記UEが、前記VPLMNへの前記境界を横断する前に、前記VPLMNにおいてサポートされるか、またはアクティブである1つまたは複数のグループへの関心を登録することに応答して、前記VPLMN内の前記グループ呼をサポートする前記1つまたは複数のベアラについての前記情報が前記UEに提供される、ステップ
をさらに含む、請求項1に記載の方法。
【請求項１３】
前記VPLMN内の前記グループ呼が、前記VPLMN内のアクティブなグループ呼、または前記UEが前記VPLMNにおいて要求した新しいグループ呼を含むか、または、
前記現在のPLMNが前記HPLMNを含み、前記マルチキャストベアラがeMBMSマルチキャストベアラを含む、請求項1に記載の方法。
【請求項１４】
発展型マルチメディアブロードキャスト/マルチキャストサービス(eMBMS)ネットワーク内のグループ呼サービス用のシームレスでリソース効率に優れたローミングをサポートするためのホーム公的地域モバイルネットワーク(HPLMN)であって、
前記HPLMNに関連付けられたユーザ機器(UE)が現在のPLMNから訪問先PLMN(VPLMN)への境界を横断することが予想されると判断することであって、前記UEが前記現在のPLMN内のグループ呼に参加するように登録している、判断することと、
前記UEが前記VPLMNにローミングしたことを検出することと、
前記VPLMN内のグループ呼参加者の数に少なくとも部分的に基づいて、前記UEが前記VPLMN内のeMBMSサービスを事前登録することに応答して、前記VPLMNにおいてマルチキャストベアラを確立するべきかどうかを判定することと、
前記VPLMN内の前記グループ呼をサポートする1つまたは複数のベアラについての情報を前記UEに提供することと
を行うように構成されたサーバ
を備える、HPLMN。
【請求項１５】
コンピュータ実行可能命令を記録したコンピュータ可読記憶媒体であって、ホーム公的地域モバイルネットワーク(HPLMN)内に位置するサーバ上で前記コンピュータ実行可能命令を実行することが、
前記HPLMNに関連付けられたユーザ機器(UE)が現在のPLMNから訪問先PLMN(VPLMN)への境界を横断することが予想されると判断することであって、前記UEが前記現在のPLMN内のグループ呼に参加するように登録している、判断することと、
前記UEが前記VPLMNにローミングしたことを検出することと、
前記VPLMN内のグループ呼参加者の数に少なくとも部分的に基づいて、前記UEが前記VPLMN内のeMBMSサービスを事前登録することに応答して、前記VPLMNにおいてマルチキャストベアラを確立するべきかどうかを判定することと、
前記VPLMN内の前記グループ呼をサポートする1つまたは複数のベアラについての情報を前記UEに提供することと
を前記サーバに行わせる、コンピュータ可読記憶媒体。